(57)【要約】【課題】梱包箱を開梱したときに、着目すべき梱包物であることを、ユーザが直感的に把握でき、ユーザがマニュアルを読まなくても、異なる部品を誤って手に取り、組み立てを開始するミスを防ぐことができる梱包箱を提供することを目的とする。【解決手段】蓋と箱本体とを具備し、梱包物を梱包する梱包箱において、梱包箱を開梱したときに、梱包物を起立させるための紐等の起立手段を具備し、この起立手段の両端が、蓋と箱本体とにそれぞれ固定されている。これによって、蓋を開けると、両端が固定されている起立手段が、箱本体から飛び出す絵本のように、梱包物を立体的に飛び出させる。この起立手段の上に、梱包物を配置すれば、梱包箱を開梱したときに、梱包物が、起立手段に押されて前面に飛び出る。【選択図】図１
2009051536.tif 000002
【特許請求の範囲】
【請求項１】
箱本体と、蓋とを具備し、梱包物を梱包する梱包箱において、
上記蓋を開く動作と連動して、上記梱包物を起立させる起立手段と；
上記起立手段の一端を、上記箱本体に固定する箱本体用固定手段と；
上記起立手段の他端を、上記蓋に固定する蓋用固定手段と；
を有することを特徴とする梱包箱。
【請求項２】
請求項１において、
ｔａｎα＜ｇｘ／ｇｙを満たすように、上記起立手段の長さ、取り付け位置を設定することによって、上記扉を開いたときに上記梱包物が直立する（なお、ｇｘは、上記梱包物の重心から上記梱包物の底面に下ろした垂線と上記底面との交点と上記梱包物の回転中心との距離であり、ｇｙは、上記梱包物の重心と上記底面との距離であり、αは、上記梱包物の底面と水平線とのなす角である）ことを特徴とする梱包箱。
【請求項３】
請求項１において、
上記起立手段は、紐、ワイヤ、ロープ、フィルム、布、帯状体、面状体のうちの少なくとも１つであることを特徴とする梱包箱。
【請求項４】
請求項１において、
上記起立手段は、１つまたは複数、設けられていることを特徴とする梱包箱。
【請求項５】
請求項１において、
上記起立手段は、上記蓋を所定の角度、開いたときに、直線状になる長さを有する部材であることを特徴とする梱包箱。
【請求項６】
請求項１において、
上記蓋は、上記梱包物を接続する接続方法が記載されている蓋であることを特徴とする梱包箱。
【請求項７】
請求項１において、
上記箱本体の内面に、上記梱包物が滑る滑り具が設けられていることを特徴とする梱包箱。
【請求項８】
請求項１において、
上記起立手段は、注意書きまたは絵が記載されている面状体であることを特徴とする梱包箱。
【発明の詳細な説明】
【技術分野】
【０００１】
本発明は、部品等の梱包機器を梱包する梱包箱において、マニュアルをきちんと読まないユーザでも、最初に使用すべき部品を正しく選択させることが可能な梱包箱に関する。
【背景技術】
【０００２】
複数の部品からなる機器について、その配線や組み立てを、ユーザに行わせる場合、機器は最初、ダンボール等の箱に梱包されていることが多い。ユーザは、通常、箱から部品類を取り出し、マニュアル等を参考に、指定された順序で、配線し、また、組み立てる。
【０００３】
マニュアル提供者は、マニュアルの配色や構成に気を払い、ユーザが手順を迷わないように工夫している。たとえば、フォント・イラスト、写真等のビジュアル表現が、マニュアルでどのように用いられているかを、調査・類型化している（たとえば、非特許文献１参照）。
【非特許文献１】木原萌美、三波千穂美著「マニュアルにおける複合的ビジュアル手法」テクニカルコミュニケーター協会、テクニカルコミュニケーションシンポジウム２００６［東京開催］論文集、ｐ．１５−１９
【発明の開示】
【発明が解決しようとする課題】
【０００４】
しかし、複数の部品やマニュアルが１つの箱内に梱包されていると、ユーザは、マニュアルをきちんと見ずに、自分勝手に好きな順番で設定を始めることがあり、この場合には、正しい設定が行われないという問題がある。
【０００５】
たとえば、パソコンをインターネットに繋ぐための通信機器が入っている箱には、通信機器本体（ルータ）の他に、ケーブル、電源アダプタ、パソコンを設定するためのＣＤ、無線カード、マニュアル等、多くの部品が同梱される。
【０００６】
パソコンをインターネットに繋ぐためには、まず通信機器本体を取り出し、配線し、その後に、電源アダプタを接続し、電源を入れ、ＣＤをＰＣに挿入し、設定する。このような手順が記載されているマニュアルを読み飛ばし、順番を守らなければ、インターネットに正しく繋ぐことができない。
【０００７】
ところで、マニュアルを読まないユーザは、まず、ＣＤをＰＣに挿入し、無線カードを手にする等、手順を守らないケースが多く、インターネットに繋ぐことができないという問題がある。
【０００８】
このように、複数の部品を組み立て、配線する場合、ユーザに順番通りに作業させるには、箱の中に、マニュアルを単純に同梱するだけでは、確実に作業させることが困難であるという問題がある。
【０００９】
本発明は、梱包箱を開梱したときに、着目すべき梱包物であることを、ユーザが直感的に把握でき、ユーザがマニュアルを読まなくても、異なる部品を誤って手に取り、組み立てを開始するミスを防ぐことができる梱包箱を提供することを目的とする。
【課題を解決するための手段】
【００１０】
本発明は、蓋と箱本体とを具備し、梱包物を梱包する梱包箱において、梱包箱を開梱したときに、梱包物を起立させるための紐等の起立手段を具備し、この起立手段の両端が、蓋と箱本体とにそれぞれ固定されている。これによって、蓋を開けると、両端が固定されている起立手段が、箱本体から飛び出す絵本のように、梱包物を立体的に飛び出させる。この起立手段の上に、梱包物を配置すれば、梱包箱を開梱したときに、梱包物が、起立手段に押されて前面に飛び出る。
【発明の効果】
【００１１】
本発明によれば、梱包箱を開梱したときに、飛び出た梱包物が、同梱されている複数の部品の中で、特に着目すべき部品であることを、ユーザが直感的に把握できるので、ユーザがマニュアルを読まなくても、異なる部品を誤って手に取り、組み立てを開始するミスを防ぐことができるという効果を奏する。
【発明を実施するための最良の形態】
【００１２】
発明を実施するための最良の形態は、以下の実施例である。
【実施例１】
【００１３】
図１、図２は、本発明の実施例１である梱包箱１００を示す側面図である。
【００１４】
梱包箱１００は、箱本体１０と、蓋２０と、紐３０と、留め具４１、４２と、梱包機器５０と、滑り止め６０とを有する。
【００１５】
梱包箱１００において、箱本体１０の内壁から、設置されている梱包機器５０までの距離Ｄ１１が、梱包機器５０の厚み以上である。
【００１６】
箱本体１０は、梱包機器５０を梱包し、固定する箱である。箱本体１０は、梱包機器５０が入るように凹凸があるか、梱包機器５０を固定するゴムバンドが設けられ、箱本体１０の材質や形は、様々である。
【００１７】
蓋２０は、箱本体１０を閉じる蓋である。箱本体１０と蓋２０とは必ずしも繋がっている必要はなく、箱本体１０から蓋２０を完全に取り外すことができるようにしてもよい。また、蓋２０に、梱包機器５０の厚み以上の厚みを持たせ、蓋２０に、梱包機器５０を収納し、梱包するようにしてもよい。この場合、開梱時に、蓋２０の中の梱包機器５０は、起立しなくてもよい。
【００１８】
紐３０は、一端３１と他端３２とを有する。梱包箱１００が閉じられている状態では、図１に示すように、梱包機器５０の下部に、紐３０の一部が回り込んでいる。紐３０の長さは、梱包箱１００の厚み以上の長さであり、かつ、蓋２０が開くために十分な長さである。
【００１９】
留め具４１は、箱本体１０の底部の内壁に、紐３０の一端３１を固定するものである。留め具４２は、蓋２０に、紐３０の他端３２を固定するものである。梱包機器５０は、複数の部品、機器、マニュアル等である。
【００２０】
次に、上記実施例１の動作について説明する。
【００２１】
梱包箱１００が閉じられている状態では、図１に示すように、梱包機器５０の下部に、紐３０の一部が回り込んでいる。梱包箱１００を開けたときに、紐３０の両端３１、３２が、箱本体１０と蓋２０とに引っ張られ、図２に示すように、曲がっていた紐３０が、直線状またはそれに近い状態になる。これによって、梱包箱１００の蓋２０を開けると、紐３０の上に載置されていた梱包機器５０が立ち上がる。
【００２２】
図３は、梱包箱１００の蓋２０が、鉛直になるまで、蓋２０を開いた状態を示す側面図である。
【００２３】
蓋２０を９０度開いたときに、梱包機器５０が起立するためには、次のようにする。なお、本願明細書において「起立」は、梱包機器５０が、寝ている状態から、直立する状態に至る途中の状態と、直立している状態とである。
【００２４】
つまり、留め具４１から箱本体１０の側壁内面（蓋２０の回転軸が含まれている側壁）までの距離＋留め具４２から箱本体１０の側壁内面（蓋２０の回転軸が含まれている側壁）までの距離＋箱本体１０の側壁内面（蓋２０の回転軸が含まれている側壁）の高さよりも、紐３０が長いと、蓋２０を開いても、紐３０が、梱包機器５０を押し上げないので、梱包機器５０が起立しない。したがって、留め具４１から箱本体１０の側壁内面（蓋２０の回転軸が含まれている側壁）までの距離＋留め具４２から箱本体１０の側壁内面（蓋２０の回転軸が含まれている側壁）までの距離＋箱本体１０の側壁内面（蓋２０の回転軸が含まれている側壁）の高さよりも、紐３０が短くなるように、紐３０の長さを設定する。
【００２５】
また、開梱時に蓋２０が回転する中心から、留め具４１、４２までの長さを、それぞれｘ、ｙとした場合、紐３０の長さを、√（ｘ２＋ｙ２）にすると、蓋２０を９０度開けたときに、図３に示すように、紐３０に緩みがない状態で、梱包機器５０を起立させることができる。なお、紐３０の長さを、√（ｘ２＋ｙ２）にする必要はなく蓋２０を開く角度、梱包機器５０の立ち上がり角度に応じて、紐３０の長さを変化させるようにしてもよい。
【００２６】
紐３０は、箱本体１０内に梱包することができ、梱包機器５０を立ち上げることのできる強度があれば、その材質を問わない。つまり、紐３０は、蓋を開く動作と連動して、梱包機器を起立させる起立手段の例であり、紐３０の代わりに、厚紙、合成樹脂等、折り曲げて梱包できるものを使用するようにしてもよい。
【００２７】
留め具４１は、起立手段の一端を、箱本体に固定する箱本体用固定手段の例である。留め具４２は、起立手段の他端を、蓋に固定する蓋用固定手段の例である。
【００２８】
図４は、本発明の実施例２である梱包箱２００を示す斜視図である。
【００２９】
梱包箱２００は、基本的には、梱包箱１００と同じであり、紐３０が、２本設けられている点のみが、梱包箱１００とは異なる。
【００３０】
紐３０が細ければ、１本の紐３０では、梱包機器５０が立ち上がらない可能性があるので、図４に示すように、２本の紐３０を設ける。紐３０を、３本以上、設けるようにしてもよい。
【００３１】
また、紐３０を固定する留め具４１、４２は、紐３０の端を固定できるものであれば、その形態は問わない。たとえば、粘着テープや粘土のように、簡単に取り外しが可能なものでもよい。また、紐３０が、箱本体１０、蓋２０に完全に固定され、外れないような留め具を使用するようにしてもよい。
【００３２】
図５は、本発明の実施例４である梱包箱３００を示す図である。
【００３３】
梱包箱３００は、基本的には、梱包箱１００と同じであり、紐３０の代わりに、帯状体３０ａを使用した点のみが、梱包箱１００とは異なる。
【００３４】
帯状体３０ａは、図５に示すように、ある程度の幅があり、この帯状体３０ａに、接続または使用等に関する注意書きや絵等を記載するようにしてもよい。また、箱本体１０または蓋２０にも、注意書きや絵等を書き込むようにしてもよい。
【００３５】
帯状体３０ａは、蓋を開く動作と連動して、梱包機器を起立させる起立手段の例である。
【００３６】
梱包箱３００において、帯状体３０ａの表面であって、梱包機器５０に設けられているケーブル挿し込み口５０ａ、５０ｂ付近に、ケーブルを挿す絵Ｐ１が描かれ、この絵Ｐ１をユーザが見れば、配線方法をユーザが具体的・直感的に把握することができる。
【００３７】
梱包機器５０は、必ずしも厚みのあるものである必要はない。たとえば、同梱される梱包機器の組み立て方法が記載されているマニュアルも、梱包機器５０と同じように扱ってもよい。このようにすると、梱包箱３００を開けたときに、マニュアルが前面に押し出され、そのマニュアルを見ることを、ユーザに促がすことができる。
【００３８】
次に、上記実施例のより具体的な動作について説明する。
【００３９】
梱包箱１００を開梱したときに、梱包機器５０は、梱包機器５０の下面の角を含む稜線を回転軸とし、この回転軸の位置は動かず、梱包機器５０が立ち上がる。
【００４０】
梱包機器５０の角を含む稜線や、梱包箱の表面が滑りやすい材質であれば、梱包機器５０の重み等で、梱包機器５０が梱包箱１００の底部を滑ると、梱包機器５０が正しく起立しない可能性もある。したがって、この場合、梱包箱に、滑り止め６０が設けられている。
【００４１】
また、開梱時に、梱包機器５０が紐３０に支えられ、斜めになっている状態が最終状態となる場合もあり得るが、開梱する途中までは、紐３０が梱包機器５０を起立させ、ある程度の角度まで開梱すると、梱包機器５０が、梱包機器５０の重みで自立的に起立するようにしてもよい。
【００４２】
梱包機器５０を完全に起立させるためには、以下の機構が必要である。
【００４３】
図６、図７は、梱包機器５０の重心位置と、梱包機器５０の動きとの関係を説明する図である。
【００４４】
一般に、物体の重心を通る鉛直線が、物体の底面を通ると、物体を元に戻そうとするモーメントが働き、物体は元の位置に戻る。つまり、梱包機器５０の重心を通る鉛直線が、梱包機器５０の底面５０ｃを通る（図６参照）と、梱包機器５０を元に戻そうとするモーメントが働き、梱包機器５０は元の位置に戻る。
【００４５】
また、一般に、物体の重心を通る鉛直線が、物体の底面を外れると、物体を倒そうとするモーメントが働き、物体は転倒する。つまり、梱包機器５０の重心を通る鉛直線が、梱包機器５０の底面５０ｃを外れる（図７参照）と、梱包機器５０を倒そうとするモーメントが働き、梱包機器５０が転倒する。
【００４６】
上記理論を応用すると、紐３０を使って、梱包機器５０を安定して起立させるためには、梱包機器５０の重心を通る鉛直線が、底面５０ｃを通過するまで、紐３０で梱包機器５０を起立させればよい。
【００４７】
次に、具体的に説明する。
【００４８】
図８は、梱包機器５０を起立させる動作の説明図である。
【００４９】
梱包機器５０を起立させるには
ａ＝ｃ−ｄ
＝ｇｘｃｏｓα−ｇｙｓｉｎα＞０
となる角度αが必要である。すなわち
ｔａｎα＜ｇｘ／ｇｙ
を満たす角度αまで、梱包機器５０を起立させる必要があり、これを満たすように、紐３０の長さ、取り付け位置を決める。
【００５０】
つまり、ｔａｎα＜ｇｘ／ｇｙを満たすように、紐３０の長さ、取り付け位置を設定することによって、扉２０を開いたときに梱包機器５０が直立する。なお、上記ｇｘは、梱包機器５０の重心から梱包機器５０の底面５０ｃに下ろした垂線と底面５０ｃとの交点と梱包機器５０の回転中心との距離であり、上記ｇｙは、梱包機器５０の重心と底面５０ｃとの距離であり、上記αは、梱包機器５０の底面と水平線とのなす角である。
【００５１】
図９は、梱包機器５０を起立させる動作の説明図である。
【００５２】
この具体的な方法の例として、たとえば、以下の手順で紐３０の長さ、取り付け位置を決める。
【００５３】
（１）梱包機器５０の梱包位置ｘ４を決める。
【００５４】
つまり、ｂｙ≦ｘ４≦ｘ６−ｂｘ  の範囲で、梱包機器５０の梱包位置ｘ４を決める。
【００５５】
（２）開梱したときの、紐３０を用いて梱包機器５０を起立させる角度α（０≦α≦π／２）を決める。たとえば、α＝π／３等が考えられる。この際、梱包機器５０を自立的に完全に起立させるには、ｔａｎα＜ｇｘ／ｇｙを満たすαを決める。
【００５６】
（３）蓋２０を開けた状態の角度γを、以下の式の範囲内で決める
ｔａｎγ≧（ｂｙｃｏｓα）／（ｘ４−ｂｙｓｉｎα）＝ｂｙ／（２・ｘ４−√（３ｂｙ））
上式を満たしていないと、梱包機器５０がαの角度で起立することができない。
【００５７】
たとえば、γ＝９０度であれば、上式を満たす。
【００５８】
（４）開梱時に、紐３０の位置（ｘ４−ｂｙｓｉｎα，ｂｙｃｏｓα）を紐３０が通るように、ｘ３、ｘ５を決める。原理的には、ｘ３の位置を、ｘ１≦ｘ３≦ｘ４の範囲で定めれば、三平方の定理によって、以下の２式が成り立つ。
【００５９】
ｔａｎβ＝（ｂｙｃｏｓα）／（ｘ３−ｘ２）
ｔａｎβ＝（ｘ５ｓｉｎγ＋ｂｙ）／（ｘ３−ｘ５ｃｏｓγ）
上記２式について、ｔａｎβを消去して連立させ、式を解けば、紐３０の他端３２を取り付ける位置ｘ５を一意に求めることができる。ただし、上式を連立したときの長さｘ５が、蓋２０の長さを超えないように、紐３０の一端を取り付ける位置ｘ３を求める必要がある。
【００６０】
また、紐３０の長さＲは、以下の式によって一意に求めることができる。
【００６１】
Ｒ＝{（ｘ５ｓｉｎγ＋Ｂｙ）２＋（ｘ３−ｘ５ｃｏｓγ）２}１／２
なお、この手順は、一例であり、ｘ１、ｘ２、ｘ３、ｘ４、ｘ５、Ｒを、どの順序で決めるようにしてもよい。
【００６２】
図１０、図１１は、本発明の実施例４である梱包箱４００を示す側面図である。
【００６３】
梱包箱４００は、基本的には、梱包箱１００と同じであるが、距離ｄ１２が、梱包機器５０の厚み以下であり、滑り止め６０の代わりに、滑り具７０が設けられている点のみが、梱包箱１００と異なる点である。
【００６４】
この際、図１、図２に示す状態において、回転の中心であった梱包機器５０の下の角は、梱包状態の位置のままでは、箱の側面が邪魔し、回転することができない。そこで、箱本体１０の底部の内壁に、梱包機器５０の底が滑りやすいように、滑り具７０が設けられている。このようにすれば、梱包機器５０の下の角Ａ１は、箱の底を滑るように移動し、梱包機器５０が立ち上がり、角Ａ２は、箱の側面内壁を滑り、完全に起立する際には、底面に接する。
【００６５】
箱の側面から留め具４１までの距離が、梱包機器５０の厚みよりも短ければ、角Ａ１が、滑り、留め具４１まで来ると、その先は、留め具４１と紐３０とに邪魔され、それ以上は滑らない。このときに、箱本体１０の側面から留め具４１までの距離が、梱包機器５０の厚みよりも短ければ、角Ａ２は、底面に設置することができない。
【００６６】
箱本体１０の側面内壁から留め具４１までの距離を、梱包機器５０の厚みと同程度にすれば、梱包機器５０を立ちやすくすることができる。
【００６７】
紐３０を蓋２０に取り付ける位置は、図１、図２で説明した方法と同様の考え方で、決めることができる。梱包機器５０を完全に起立させるには、梱包機器５０の重心を通る鉛直線が底面５０ｃを通過するまで、紐３０で起立させることができるように（ｔａｎα＜ｇｘ／ｇｙを満たすように）、取り付け位置を決める。
【００６８】
図１２は、本発明の実施例５である梱包箱５００を示す側面図である。
【００６９】
梱包箱５００は、基本的には、梱包箱１００と同じであり、紐３０が、複数の梱包機器５０、５１を起立させる点のみが、梱包箱１００とは異なる。
【００７０】
図１３は、実施例５において、紐３０が、複数の梱包機器５０、５１を起立させている状態を示す側面図である。
【００７１】
梱包箱５００において、１つの紐３０で、梱包機器５０、５１を、重ねて立ち上がらせることができ、梱包機器５０と梱包機器５１とを並べて組み立てることが必要な場合、２つの梱包機器を重ねて立ち上がらせることが有効である。なお、複数の梱包機器を並べて組み立てる必要がない場合でも、上記複数の梱包機器を重ねて立ち上がらせると、開梱時に、これらが目立つので、ユーザに注意喚起することができる。
【００７２】
上記のように、紐３０の上に、梱包機器を複数並べて配置すれば、装置を開梱したときに、複数の梱包機器が、紐３０に押されて並んで前面に飛び出る。
【００７３】
この場合、梱包機器５０と梱包機器５１との間に滑り止めを挟むようにしてもよい。このようにすることによって、蓋２０を開けた際に、梱包機器５１が梱包機器５０から滑り落ちない。
【００７４】
図１４は、本発明の実施例６である梱包箱６００を示す斜視図である。
【００７５】
梱包箱６００は、基本的には、梱包箱３００と同じであるが、帯状体３０ａの代わりに、布、フィルム等の面状体３０ｂが設けられている点のみが、梱包箱３００とは異なる。
【００７６】
面状体３０ｂが横方向に長く、横に２つの梱包機器５０、５２を並べ、まとめて立ち上げる。面状体３０ｂの横幅を十分に確保することによって、２つの梱包機器５０、５２を
立たせることができる。なお、面状体３０ｂによって、３つ以上の梱包機器を起立させるようにしてもよい。
【００７７】
図１５、図１６は、本発明の実施例７である梱包箱７００を示す斜視図である。
【００７８】
梱包箱７００は、基本的には、梱包箱１００と同じであるが、紐３０ｃがさらに設けられている点のみが、梱包箱１００とは異なる。
【００７９】
梱包箱７００によって、複数の梱包機器を同時に起立させることができる。
【００８０】
なお、紐、帯状体、面状体は、起立手段の例であるが、上記起立手段は、紐、ワイヤ、ロープ、フィルム、布、帯状体、面状体のうちの少なくとも１つである。
【００８１】
つまり、上記実施例は、箱本体と、蓋とを具備し、梱包物を梱包する梱包箱において、上記蓋を開く動作と連動して、上記梱包物を起立させる起立手段と、上記起立手段の一端を、上記箱本体に固定する箱本体用固定手段と、上記起立手段の他端を、上記蓋に固定する蓋用固定手段とを有することを特徴とする梱包箱の例である。
【００８２】
なお、上記梱包物は、ルーター、パソコン等の電子機器である梱包機器５０、５１、５２、５３の他に、マニュアルをも含む概念である。
【００８３】
この場合、上記起立手段は、紐、ワイヤ、ロープ、フィルム、布、帯状体、面状体のうちの少なくとも１つである。また、上記起立手段は、１つまたは複数、設けられている。さらに、上記起立手段は、上記蓋を所定の角度、開いたときに、直線状になる長さを有する部材である。しかも、上記蓋に、上記梱包物を接続する接続方法が記載されている。そして、上記箱本体の内面に、上記梱包物が滑る滑り具が設けられている。加えて、上記起立手段は、注意書きまたは絵が記載されている面状体である。
【図面の簡単な説明】
【００８４】
【図１】本発明の実施例１である梱包箱１００を示す側面図である。
【図２】本発明の実施例１である梱包箱１００を示す側面図である。
【図３】梱包箱１００の蓋２０が、鉛直になるまで、蓋２０を開いた状態を示す側面図である。
【図４】本発明の実施例２である梱包箱２００を示す斜視図である。
【図５】本発明の実施例４である梱包箱３００を示す図である。
【図６】梱包機器５０の重心位置と、梱包機器５０の動きとの関係を説明する図である。
【図７】梱包機器５０の重心位置と、梱包機器５０の動きとの関係を説明する図である。
【図８】梱包機器５０を起立させる動作の説明図である。
【図９】梱包機器５０を起立させる動作の説明図である。
【図１０】本発明の実施例４である梱包箱４００を示す側面図である。
【図１１】本発明の実施例４である梱包箱４００を示す側面図である。
【図１２】本発明の実施例５である梱包箱５００を示す側面図である。
【図１３】実施例５において、紐３０が、複数の梱包機器５０、５１を起立させている状態を示す側面図である。
【図１４】本発明の実施例６である梱包箱６００を示す斜視図である。
【図１５】本発明の実施例７である梱包箱７００を示す斜視図である。
【図１６】本発明の実施例７である梱包箱７００を示す斜視図である。
【符号の説明】
【００８５】
１００、２００、３００、４００、５００、６００、７００…梱包箱、
１０…箱本体、
２０…蓋、
３０、３０ｃ…紐、
３０ａ…帯状体、
３０ｂ…面状体、
３１…一端、
３２…他端、
４１、４２…留め具、
５０、５１、５２、５３…梱包機器、
５０ａ、５０ｂ…ケーブル挿し込み口、
５０ｃ…底面、
６０…滑り止め、
７０…滑り具、
Ｐ１…絵。
【図１】
2009051536.tif 000003
【図２】
2009051536.tif 000004
【図３】
2009051536.tif 000005
【図４】
2009051536.tif 000006
【図５】
2009051536.tif 000007
【図６】
2009051536.tif 000008
【図７】
2009051536.tif 000009
【図８】
2009051536.tif 000010
【図９】
2009051536.tif 000011
【図１０】
2009051536.tif 000012
【図１１】
2009051536.tif 000013
【図１２】
2009051536.tif 000014
【図１３】
2009051536.tif 000015
【図１４】
2009051536.tif 000016
【図１５】
2009051536.tif 000017
【図１６】
2009051536.tif 000018